(57)【要約】【課題】家具の台板に設置した時、台板に緊密に当接し、使用者が側部または背部をもたせかけることができる、家具用クッションを提供すること。【解決手段】骨組みが底部バーを備え、２つの挿入棒２０が底部バーの平面状の底面と結合され、スポンジ材料よりなるライナー３０が骨組みを被覆し、底部に開口を備えた内カバー４０がライナー３０の外部に被着され、底部に開口を備えた外カバー５０が内カバー４０の外部に被着され、ライナー３０の底部に水平方向に延びる第１面及び第２面と、起立する連接面が形成され、第１面が第２面より高く、第２面が底部バーの底面より高くなって階段状に形成され、内カバー４０の開口周縁に形成された第１折り返し辺及び外カバー５０の開口周縁に形成された第２折り返し辺が第１面の底部に設けられ、連接面が第１折り返し辺及び第２折り返し辺の側面方向への移動を規制する。【選択図】図１
2020054789.tif 000002
【特許請求の範囲】
【請求項１】
家具用クッションであって、骨組みと、２つの挿入棒と、ライナーと、内カバーと、外カバーを含み、前記骨組みが複数本の棒体を相互に連接して構成され、該骨組みが底部バーを備え、該底部バーは平面状の底面を有し、各挿入棒が前記底部バーの底面とそれぞれ相互に結合され、前記ライナーがスポンジ材料で構成され、前記骨組みを被覆し、前記内カバーが底部に開口を備えた袋体であり、該内カバーが前記ライナーの外部に被着され、前記外カバーが底部に開口を備えた袋体であり、該外カバーが前記内カバーの外部に被着され、
前記ライナーの底部に第１面と、第２面と、連接面が形成され、該第１面の一側が前記底部バーに相隣し、他側が起立した前記連接面に連接され、前記第２面の一側が前記連接面に連接され、他側が前記ライナーの外縁に連接され、前記第１面が水平方向に延びて前記第２面より高く、該第２面が水平方向に延びて前記底部バーの底面より高くなっており、これにより前記ライナーの底部が階段状に形成され、
前記内カバーの開口周縁に第１折り返し辺が形成され、該第１折り返し辺が前記第１面の底部に設けられ、かつ前記連接面が該第１折り返し辺に対して側面方向への移動を規制し、前記外カバーの開口周縁に第２折り返し辺が形成され、該第２折り返し辺が前記第１面の底部に設けられ、かつ前記連接面が前記第２折り返し辺に対して側面方向への移動を規制する、ことを特徴とする、家具用クッション。
【請求項２】
前記底部バーに、下から上に向かって螺合孔が設けられたことを特徴とする、請求項１に記載の家具用クッション。
【請求項３】
前記各挿入棒の下端部にそれぞれ螺合孔が形成されたことを特徴とする、請求項１に記載の家具用クッション。
【発明の詳細な説明】
【技術分野】
【０００１】
本発明は、椅子やベッドなどの家具で、使用者が側部または背部をもたせかけるために用いる、家具用クッションに関する。
【背景技術】
【０００２】
特許文献１には、板体と側部支持体を含み、該側部支持体が同一辺に設けられた複数の脚部を備え、各脚部を前記板体上のいくつかの挿入孔に選択的に挿入して、側部支持体を板体の上方に立てて配置することができ、該側部支持体を該板体に設置する位置を調整することで、家具の形態を変化させることができる「任意に組立て可能な家具」が開示されている。
【０００３】
板体を椅子の座面とする場合、側部支持体を椅子の背もたれとして使用者がもたれることができる。
このとき、使用者がもたれかかる側部支持体の快適性を高めるために、該側部支持体の外部にソフトパッドを被せることができる。該ソフトパッドは底部に相互に結合可能な係止部材を備え、該ソフトパッドの係止部材を側部支持体の底部で相互に係合させることで、ソフトパッドと側部支持体を結合させることができる。
【０００４】
ソフトパッドを側部支持体に被せたとき、係止部材が側部支持体の底部で相互に係合されるため、該係止部材が側部支持体の底面と板体の上面の間に挟まれ、側部支持体の底面と板体の上面を緊密に当接させることができない。この結果、側部支持体が使用者の側面方向の作用力を受けると、該側部支持体には板体に挿入された各脚部が側面方向の作用力に抵抗する支持を提供できるのみであり、各脚部の湾曲変形、さらには断裂を引き起こしやすい。
【先行技術文献】
【特許文献】
【０００５】
【特許文献１】台湾実用新案第Ｍ５２７２５９号明細書
【発明の概要】
【発明が解決しようとする課題】
【０００６】
本発明が解決しようとする課題は、椅子やベッドなどの家具の台板に設置した時、台板に緊密に当接し、使用者が側部または背部をもたせかけることができる、家具用クッションを提供することにある。
【課題を解決するための手段】
【０００７】
本発明の家具用クッションは、骨組みと、２つの挿入棒と、ライナーと、内カバーと、外カバーを含み、前記骨組みが複数本の棒体を相互に連接して構成され、該骨組みが底部バーを備え、該底部バーは平面状の底面を有し、各挿入棒が前記底部バーの底面とそれぞれ相互に結合され、前記ライナーがスポンジ材料で構成され、前記骨組みを被覆し、前記内カバーが底部に開口を備えた袋体であり、該内カバーが前記ライナーの外部に被着され、前記外カバーが底部に開口を備えた袋体であり、該外カバーが前記内カバーの外部に被着され、前記ライナーの底部に第１面と、第２面と、連接面が形成され、該第１面の一側が前記底部バーに相隣し、他側が起立した前記連接面に連接され、前記第２面の一側が前記連接面に連接され、他側が前記ライナーの外縁に連接され、前記第１面が水平方向に延びて前記第２面より高く、該第２面が水平方向に延びて前記底部バーの底面より高くなっており、これにより前記ライナーの底部が階段状に形成され、前記内カバーの開口周縁に第１折り返し辺が形成され、該第１折り返し辺が前記第１面の底部に設けられ、かつ前記連接面が該第１折り返し辺に対して側面方向への移動を規制し、前記外カバーの開口周縁に第２折り返し辺が形成され、該第２折り返し辺が前記第１面の底部に設けられ、かつ前記連接面が前記第２折り返し辺に対して側面方向への移動を規制する。
【０００８】
望ましくは、前記底部バーに、下から上に向かって螺合孔が設けられる。
望ましくは、前記各挿入棒の下端部にそれぞれ螺合孔が形成される。
【発明の効果】
【０００９】
本発明によれば、椅子やベッドなどの家具の台板に設置し、底部バーが台板上に設置されたとき、第１面及び第２面と台板の間に内カバーと外カバーを進入させる空間が形成され、内カバーと外カバーが底部バーと台板間の緊密な当接に対して不利な影響を生じることがなく、かつ内カバーと外カバーも台板の圧迫を受けにくい。
【図面の簡単な説明】
【００１０】
【図１】本発明の実施例を示す家具用クッションの分解斜視図である。
【図２】本発明の実施例に係る骨組み及び挿入棒の斜視図である。
【図３】本発明の実施例に係る骨組み、挿入棒、ライナーの底面図である。
【図４】図３の４−４線での断面図である。
【図５】本発明の実施例を示す家具用クッションの要部断面図である。
【図６】本発明の実施例を示す家具用クッションの使用状態における要部断面図である。
【発明を実施するための形態】
【００１１】
以下、本発明の実施の形態を図面に基づいて詳細に説明する。
図１、図２、図３に示すように、本発明の家具用クッションは、骨組み１０と、２つの挿入棒２０と、ライナー３０と、内カバー４０と、外カバー５０を含む。
骨組み１０は複数本の棒体を相互に連接して構成される矩形の枠体である。なお、クッションの具体的な形状または寸法に応じて、骨組み１０は異なる形状に変えてもよく、矩形の枠体に限らない。
骨組み１０は底部バー１２を備え、底部バー１２は平面状の底面１４を有する。底部バー１２には、必要に応じて下から上に向かって１つ以上の螺合孔１６が設けられる。螺合孔１６の数は底部バー１２の長さによって決定される。
【００１２】
各挿入棒２０は、椅子やベッドなどの家具の台板（図示しない）の挿入孔に挿入するために用いる円形棒であり、底部バー１２の底部とそれぞれ相互に結合され、各挿入棒２０の下端部に螺合孔２２がそれぞれ形成される。
【００１３】
ライナー３０はスポンジ材料で構成され、骨組み１０を被覆し、緩衝及び人体をもたれ掛けたときの快適性を提供するために用いられ、かつ、ライナー３０の形状により家具用クッションに成形作用を提供することができる。
さらに、ライナー３０は必要に応じて複数層の密度が異なるスポンジで構成してもよく、密度が異なるスポンジにより、ライナー３０は適切な柔軟性、サポート性を提供することができる。
【００１４】
内カバー４０は、底面が開口した袋体であり、ライナー３０の外部に被着され、埃を遮断し、ライナー３０を清潔に保つために用いられる。
【００１５】
外カバー５０は、底面が開口した袋体であり、内カバー４０の外部に被着される。外カバー５０は外観のデザインに基づき、特定の色彩や模様を備えた布や皮革を選択して製造することができる。
【００１６】
図３と図４に示すように、ライナー３０の底部に第１面３２と、第２面３４と、連接面３６が形成される。第１面３２の一側が底部バー１２に相隣し、他側が起立した連接面３６に連接され、第２面３４の一側が連接面３６に連接され、他側がライナー３０の外縁部に連接され、第１面３２が水平方向に延びて第２面３４より高く、第２面３４が水平方向に延びて底部バー１２の底面１４より高く、これによりライナー３０の底部は階段状に形成される。
【００１７】
図５に示すように、内カバー４０が開口周縁で内側に折り返され、ミシン縫いされて第１折り返し辺４４が形成され、第１折り返し辺４４が第１面３２の底部に設置される。すると、起立した連接面３６が第１折り返し辺４４に対して側面方向への移動を規制し、これにより、内カバー４０をライナー３０に被せたとき、内カバー４０が摺動して離脱することを回避し、かつ内カバー４０に適度に張った状態を保たせることができる。
外カバー５０が開口周縁で内側に折り返され、ミシン縫いされて第２折り返し辺５４が形成され、第２折り返し辺５４が内カバー４０の外側において第１面３２の底部に設置される。すると、起立した連接面３６が第２折り返し辺５４に対して側面方向への移動を規制し、これにより外カバー５０を内カバー４０に被せたとき、外カバー５０が摺動して離脱することを回避し、かつ外カバー５０に適度に張った状態を保たせることができる。
【００１８】
図６に示すように、家具用クッションは、椅子やベッドなどの家具の台板６０上に設置し、使用者が側部または背部をもたせかける椅子の背やベッドのヘッドボードとすることができる。
このとき、各挿入棒２０が台板６０の挿入孔（図示しない）にそれぞれ選択的に挿入され、２本のボルト（図示しない）が台板６０の底部から各挿入孔に挿入されて各挿入棒２０の螺合孔２２（図３参照）に螺合され、かつ各ボルトの頭部はそれぞれ台板６０に当接される。
底部バー１２に螺合孔１６が設けられている場合、さらに対応する数量のボルト（図示しない）を台板６０の底部から底部バー１２の螺合孔１６に螺合し、底部バー１２と台板６０の結合強度を高めることができる。
【００１９】
さらに、第１面３２が水平方向に延びて第２面３４より高く、第２面３４が水平方向に延びて底面１４より高くなっているため、ライナー３０の底部が階段状に形成され、底部バー１２を台板６０上に設置したとき、第１面３２及び第２面３４と台板６０の間に内カバー４０及び外カバー５０を進入させる空間が形成される。これにより、内カバー４０及び外カバー５０の厚みが底部バー１２と台板６０間の相互の緊密な当接に対して不利な影響を生じることがなく、かつ内カバー４０と外カバー５０も台板６０の圧迫を受けにくいため、内カバー４０及び外カバー５０のライナー３０底部に対する長期的な局部圧迫を回避し、ライナー３０の回復不能な変形を回避することができる。かつ底部バー１２と台板６０が相互に緊密に当接されるため、家具用クッションが使用者からの側面方向の作用力を受けたとき、該側面方向の作用力の影響を効果的に分散し、各挿入棒２０及び底部バー１２に無理な負担無く受け止めさせることができる。
【符号の説明】
【００２０】
１０            骨組み
１２            底部バー
１４            底面
１６            螺合孔
２０            挿入棒
２２            螺合孔
３０            ライナー
３２            第１面
３４            第２面
３６            連接面
４０            内カバー
４４            第１折り返し辺
５０            外カバー
５４            第２折り返し辺
６０            台板
【図１】
2020054789.tif 000003
【図２】
2020054789.tif 000004
【図３】
2020054789.tif 000005
【図４】
2020054789.tif 000006
【図５】
2020054789.tif 000007
【図６】
2020054789.tif 000008